(57)【特許請求の範囲】
【請求項１】
表面に付着した水を所定の方向に向かって移動させる水廻り部材であって、
接触角が９０〜１８０度である第１表面部と、この第１表面部よりも接触角が小さい第２表面部とを備え、
前記第２表面部は、水の移動方向の上流側から下流側に沿って設けられた複数の流水部が連通しており、
それぞれの前記流水部は、幅小な上流側端部から下流側に向かって幅方向長さが拡大する拡開部と、この拡開部の下流側端部から幅方向の内側に向かって延びて幅方向長さが縮小する縮小段部と、を有し、
水の移動方向に沿って隣接する前記流水部同士は、上流側に位置する前記流水部における前記縮小段部の先端部と、下流側に位置する前記流水部における前記拡開部の前記上流側端部とが互いに接続していることを特徴とする水廻り部材。
【請求項２】
前記第２表面部は、水の移動方向と平行に複数列形成されていることを特徴とする請求項１に記載の水廻り部材。
【請求項３】
前記流水部は、上流側から下流側に向かって上る第１傾斜面と、この第１傾斜面の頂部から下流側に向かって下る第２傾斜面とが形成されていることを特徴とする請求項１または２に記載の水廻り部材。
【発明の詳細な説明】
【技術分野】
【０００１】
本発明は、浴室の洗い場などの水廻りに配設される水廻り部材に関する。
【背景技術】
【０００２】
従来より、浴室用洗い場の水乾きを向上させるための試みがなされており、例えば特許文献１には、表面に親水部分と疎水部分とを備え、親水部分が排水口に向かって連通するように形成された浴室用洗い場（水廻り部材）が記載されている。
【０００３】
一方で、液滴の輸送に関連する技術として、特許文献２には、血液や尿の分析や環境因子の分析のために、チップ内で極めて微細な液滴を輸送する微量液滴輸送デバイスが記載されている。この微量液滴輸送デバイスは、基板上面の流路が、上流側を第１の疎水面で、下流側を第１の疎水面より接触角が小さい第２の疎水面で構成されている。また、上流と下流の中間部分は、第１の疎水面と第２の疎水面とが混在して構成されている。そして、上流側から下流側に向かって第２の疎水面の面積が連続的に増加するように構成されている。
【先行技術文献】
【特許文献】
【０００４】
【特許文献１】特開2004-60304号公報
【特許文献２】特開2005-331410号公報
【発明の概要】
【発明が解決しようとする課題】
【０００５】
しかしながら、特許文献１の浴室用洗い場の場合、表面に付着した水の移動が必ずしも十分でないため、溝付近などでは水滴の除去が難しく、水垢などが生じる場合があった。
【０００６】
一方で、特許文献２の技術は、試料分析用の微量液滴輸送デバイスに関するものであるため、この微量液滴輸送デバイスの表面構造を浴室の洗い場などの水廻り部材に適用することは全く考慮されていない。また、特許文献２の微量液滴輸送デバイスの表面構造の場合、浴室の洗い場などの水廻りなどで想定される水滴の移動距離に対応することが難しいと考えられる。
【０００７】
本発明は、以上のとおりの事情に鑑みてなされたものであり、表面に付着した水を確実に移動させることができ、表面の乾き性に優れた水廻り部材を提供することを課題としている。
【課題を解決するための手段】
【０００８】
上記の課題を解決するために、本発明の水廻り部材は、表面に付着した水を所定の方向に向かって移動させる水廻り部材であって、
接触角が９０〜１８０度である第１表面部と、この第１表面部よりも接触角が小さい第２表面部とを備え、
前記第２表面部は、水の移動方向の上流側から下流側に沿って設けられた複数の流水部が連通しており、
それぞれの前記流水部は、幅小な上流側端部から下流側に向かって幅方向長さが拡大する拡開部と、この拡開部の下流側端部から幅方向の内側に向かって延びて幅方向長さが縮小する縮小段部と、を有し、
水の移動方向に沿って隣接する前記流水部同士は、上流側に位置する前記流水部における前記縮小段部の先端部と、下流側に位置する前記流水部における前記拡開部の前記上流側端部とが互いに接続していることを特徴とする水廻り部材。
【発明の効果】
【０００９】
本発明の水廻り部材は、表面に付着した水を確実に移動させることができ、表面の乾き性に優れている。
【図面の簡単な説明】
【００１０】
【図１】本発明の水廻り部材の第１実施形態を例示した拡大平面図である。
【図２】本発明の水廻り部材の第２実施形態を例示した拡大平面図である。
【図３】本発明の水廻り部材の第３実施形態を例示した拡大平面図および断面図である。
【発明を実施するための形態】
【００１１】
図１は、本発明の水廻り部材の第１実施形態を例示した拡大平面図である。
【００１２】
水廻り部材Ｄは、第１表面部１と第２表面部２とを備えている。
【００１３】
第１表面部１は、接触角が９０〜１８０度であり、親水性または疎水性のいずれであってもよいが、接触角が１４０〜１８０度の疎水性を有していることが好ましい。
【００１４】
第２表面部２は、親水性または疎水性のいずれであってもよいが、接触角が第１表面部１よりも小さく形成されている。具体的には、第２表面部２の接触角は、第１表面部１の接触角よりも小さい範囲において、例えば、２０〜１６０度であることが好ましい。第２表面部２は、触角が第１表面部１よりも小さいため、第１表面部１と比較して相対的に水と馴染みやすく、水廻り部材Ｄの表面に付着した水は、表面張力により第１表面部１から第２表面部２へと移動しやすくなる。
【００１５】
また、第１表面部１と第２表面部２の接触角の差は５〜３０度であることが好ましい。第１表面部１と第２表面部２の接触角の差がこの範囲であると、水廻り部材Ｄの表面に付着した水の移動のための駆動力が大きくなり、優れた水乾き効果を得ることができる。
【００１６】
そして、第２表面部２は、水の移動方向の上流側から下流側（図１中の矢印方向）に沿って連続して設けられた複数の流水部３が連通している。
【００１７】
流水部３は、拡開部４と縮小段部５とを有している。拡開部４は、幅小な上流側端部４１から下流側に向かって幅方向長さが拡大している。縮小段部５は、拡開部４の両側の下流側端部４２から幅方向の内側（水の移動方向に対して直交する方向）に向かって延びている。縮小段部５の先端部５１同士は互いに対向しており、流水部３の幅方向長さが縮小している。ここで、「幅方向」とは、上流側から下流側へ向かう水の移動方向に直交する方向をいう。
【００１８】
そして、水の移動方向に沿って隣接する流水部３同士は、上流側に位置する流水部３の縮小段部５の先端部５１と、下流側に位置する流水部３の拡開部４の上流側端部４１とが互いに接続している。
【００１９】
流水部３の形状は具体的に限定されないが、例えば、拡開部４の両側の側辺４３、４４は、水の移動方向に対して、５°〜２５°程度外側に傾斜していることが好ましく、５°〜１５°程度外側に傾斜していることがより好ましい。
【００２０】
また、流水部３の寸法も具体的に限定されないが、例えば、拡開部４の長さＬ１（水の移動方向の長さ）は、５〜３０ｍｍの範囲を例示することができる。また、拡開部４の上流側端部４１の幅方向長さＬ２（対向する縮小段部５同士の間の長さ）は、０．２〜１ｍｍの範囲を例示することができ、拡開部４の下流側端部４２の幅方向長さＬ３は、０．５〜２ｍｍの範囲を例示することができる。
【００２１】
例えば、水廻り部材Ｄの表面において、第１表面部１と第２表面部２とに跨る水（水滴）が付着すると、接触角の差によって、接触角が大きい第１表面部１側から接触角が小さい第２表面部２側へと水が移動する。この時、流水部３の拡開部４は、下流側に向かって幅方向長さが拡大しているため、水滴は接触角が小さい下流側に向かって流れることとなる。
【００２２】
そして、水滴のほとんどが第２表面部２の上に存在する状態になると、上流と下流の接触角の差が少なくなるため、下流側に向かう水滴の推進力が低下してしまう。
【００２３】
しかしながら、この水廻り部材では、水滴の推進力が残った状態の位置に縮小段部５が形成されているため、水滴は接触角の差による推進力の勢いによって縮小段部５を乗り越えることができる。これによって、水滴は、縮小段部５付近において、再び第１表面部１と第２表面部２とに跨った状態となり、接触角の差による下流側への推進力が復帰する。そして、第２表面部２では、拡開部４と縮小段部５とを有する流水部３が連通しているため、水廻り部材Ｄは下流側に向かう水滴の推進力が繰り返し発生する。このため、水廻り部材Ｄは、水滴の移動距離が長くても第２表面部２に沿って確実に水を移動させることができ、表面の乾き性に優れている。
【００２４】
また、例えば、水廻り部材Ｄを浴室の洗い場に配設する場合、水廻り部材Ｄの第２表面部２を排水口の方向に向かって形成することで、水廻り部材Ｄの表面に付着した水を移動させて排水口に流し去ることができる。
【００２５】
なお、第１表面部１と第２表面部２とを備えた水廻り部材Ｄは、公知の方法で製造することができる。具体的には、例えば、所望の形状の金型にＳＭＣ（シートモールディングコンパウンド）材料を供給して熱圧成形して成形体を得て、マスキングフィルムなどを用いて、第２表面部２を形成するための塗料を塗布して硬化させることができる。この場合、通常、ＳＭＣ材料自体が疎水性を有しているため、第２表面部２を形成する塗料を塗布していない領域が第１表面部１となる。例えばこのような方法によって、第１表面部１よりも接触角が小さいと第２表面部２を備えた水廻り部材Ｄを得ることができる。なお、例えば、水廻り部材Ｄの表面に疎水性塗料を塗布することで第１表面部１を形成することもできる。
【００２６】
図２は、本発明の水廻り部材の第２実施形態を例示した拡大平面図である。第１実施形態と共通する部分には同一の符号（一部省略）を付し、以下では説明を省略する。
【００２７】
この実施形態の水廻り部材Ｄでは、第２表面部２は、水の移動方向と平行に複数列形成されており、隣り合う第２表面部２同士は互いに近接している。また、隣り合う第２表面部２同士の間に形成されている第１表面部１は、上流側から下流側に向かって先細りになる略三角形状に形成されている。
【００２８】
この水廻り部材Ｄにおいて並列する第２表面部２の数は特に限定されず、使用用途や配設場所などに応じて適宜設計することができる。
【００２９】
この水廻り部材Ｄでは、第２表面部２が水の移動方向と平行に複数列形成されているため、広範囲に亘って、表面に付着した水（水滴）を移動させることができる。また、この水廻り部材Ｄの表面に水（水滴）が付着した場合、少なくとも水の一部が第２表面部２に接するため、より確実に第１表面部１から第２表面部２へと水が移動する。そして、第２表面部２では、拡開部４と縮小段部５とを有する流水部３が連通しているため、水廻り部材Ｄは、水滴が大きい場合や付着した水の量が多い場合などでも、第２表面部２に沿って確実に水を移動させることができ、表面の乾き性に優れている。
【００３０】
図３は、本発明の水廻り部材の第３実施形態を例示した拡大平面図および断面図である。第１実施形態と共通する部分には同一の符号（一部省略）を付し、以下では説明を省略する。
【００３１】
この実施形態では、流水部３は、上流側から下流側に向かって上る第１傾斜面６が形成されており、この第１傾斜面６の頂部Ｔから下流側に向かって下る第２傾斜面７が形成されている。この第１傾斜面６と第２傾斜面７とは、上流側から下流側に沿って連続して形成されている。
【００３２】
また、第１傾斜面６の頂部は、拡開部４の上流側端部４１と下流側端部４２の間の中央付近に位置している。さらに、上流側の流水部３における第２傾斜面７と、下流側の流水部３における第１傾斜面６とが接続する底部Ｓは、下流側の流水部３における拡開部４の上流側端部４１よりやや下流側に位置している。
【００３３】
第１傾斜面６と第２傾斜面７の傾斜角度は特に限定されないが、例えば１度〜３度程度の傾斜角度を例示することができる。
【００３４】
この水廻り部材Ｄは、連続する第１傾斜面６と第２傾斜面７とを有しているため、第２傾斜面７に付着した水や第１表面部１から第２表面部２に移動した水が、下流側へより移動しやすくなっている。すなわち、この水廻り部材Ｄでは、例えば、水滴のほとんどが第２表面部２の上に存在する状態となって下流へ向かう水滴の推進力が低下する状態であっても、第２傾斜面７によって下流へ向かう水滴の推進力を高めることができる。したがって、第２表面部２において下流へ向かう水滴が確実に縮小段部５を乗り越えて、第１表面部１と第２表面部２とに跨った状態となるため、接触角の差によって下流側への水滴の移動を促すことができる。このため、この水廻り部材Ｄは、水滴の移動距離が長くても、より確実に第２表面部２に沿って水を移動させることができ、表面の乾き性に優れている。
【００３５】
以上の通り、本発明の水廻り部材Ｄは、表面に付着した水を所定の方向に向かって移動させる水廻り部材であって、接触角が９０〜１８０度である第１表面部１と、この第１表面部１よりも接触角が小さい第２表面部２とを備えている。第２表面部２は、水の移動方向の上流側から下流側に沿って設けられた複数の流水部３が連通している。それぞれの流水部３は、幅小な上流側端部４１から下流側に向かって幅方向長さが拡大する拡開部４と、拡開部４の下流側端部４２から幅方向の内側に向かって延びて幅方向長さが縮小する縮小段部５とを有している。水の移動方向に沿って隣接する流水部３同士は、上流側に位置する流水部３における縮小段部５の先端部５１と、下流側に位置する流水部３における拡開部４の上流側端部４１とが互いに接続している。
【００３６】
この水廻り部材Ｄでは、第２表面部２は、水の移動方向と平行に複数列形成されていることが好ましい。
【００３７】
この水廻り部材Ｄでは、流水部３は、上流側から下流側に向かって上る第１傾斜面６と、この第１傾斜面６の頂部Ｔから下流側に向かって下る第２傾斜面７とが形成されていることがより好ましい。
【００３８】
本発明の水廻り部材は、以上の実施形態に限定されることはない。具体的には、例えば、第１〜３実施形態において、第２表面部における流水部の形状、寸法（長さ、幅）、数などは適宜設計することができる。また、第３実施形態においては、第１傾斜面の頂部の位置や、第２傾斜面と下流側の流水部における第１傾斜面とが接続する底部の位置は適宜設計することができる。
【符号の説明】
【００３９】
１    第１表面部
２    第２表面部
３    流水部
４    拡開部
４１  上流側端部
４２  下流側端部
５    縮小段部
５１  先端部
６    第１傾斜面
７    第２傾斜面
Ｄ    水廻り部材
Ｔ    頂部
【図１】
0006548121.tif 000002
【図２】
0006548121.tif 000003
【図３】
0006548121.tif 000004